(57)【要約】【課題】  画像表示装置の光源等の状態が変化した場合でも、精度よくガンマ特性の経時変化を補正することができる画像表示装置を提供すること。【解決手段】  画像を表示する表示素子と、前記表示素子を駆動する際のガンマ特性に関する測定を行う測定部と、所定のガンマ特性に基づいて駆動した前記表示素子に、所定の測定パターンを表示させた際の前記測定部により取得された第１の測定データを記憶する記憶部と、前記測定パターンを変更するパターン変更部と前記第１の測定データと、前記パターン変更部によって前記所定の測定パターンとは異なる測定パターンを表示させた際の前記測定部により取得された第２の測定データに基づいて、ガンマ特性の補正を行う補正部と、有することを特徴とする構成とした。【選択図】  図１
2017134361.tif 000002
【特許請求の範囲】
【請求項１】
画像を表示する表示素子と、
前記表示素子を駆動する際のガンマ特性に関する測定を行う測定部と、
所定のガンマ特性に基づいて駆動した前記表示素子に、所定の測定パターンを表示させた際の前記測定部により取得された第１の測定データを記憶する記憶部と、
前記測定パターンを変更するパターン変更部と
前記第１の測定データと、前記パターン変更部によって前記所定の測定パターンとは異なる測定パターンを表示させた際の前記測定部により取得された第２の測定データに基づいて、ガンマ特性の補正を行う補正部と、
を有することを特徴とする画像表示装置。
【請求項２】
前記パターン変更部は、前記記憶された前記第１の測定データのうち所定の階調における測定データと、
前記画像表示装置の使用に伴い、前記所定のガンマ特性に基づいて駆動した前記表示素子に、前記所定の測定パターンを表示させた際の前記所定の階調における前記測定部により取得された第３の測定データと、
に基づいて前記測定パターンを変更することを特徴とする請求項１に記載の画像表示装置。
【請求項３】
前記パターン変更部は、前記第１の測定データのうち所定の階調における測定データと、前記第３の測定データと、の比率に応じて前記測定パターンを変更することを特徴とする請求項２に記載の画像表示装置。
【請求項４】
前記補正部は、前記第１の測定データと、前記第２の測定データと、が一致するように前記ガンマ特性の補正を行う
ことを特徴とする請求項１乃至３の何れか一項に記載の画像表示装置。
【請求項５】
前記パターン変更部は、前記測定パターンの前記表示素子上の表示面積を変えることを特徴とする請求項１乃至４の何れか一項に記載の画像表示装置。
【請求項６】
前記パターン変更部は、
前記第１の測定データとして、所定の階調における測定値Ｌ０、前記Ｌ０取得時のバックグラウンド測定値をＢＫ０、前記第３の測定データとして、所定の階調における測定値Ｌ１、前記Ｌ１取得時のバックグラウンド測定値をＢＫ１、前記第１の測定データ取得時の測定パターンの表示画素数をＳ０、変更後の表示画素数をＳ１とするとき、
Ｓ１＝（Ｌ０−ＢＫ０）／（Ｌ１−ＢＫ０）×Ｓ０
を算出し、前記Ｓ１に基づいて、前記測定パターンの前記表示素子上の表示画素数を変更することを特徴とする請求項２に記載の画像表示装置。
【請求項７】
前記記憶部は、前記所定のガンマ特性に基づいて前記表示素子を駆動するための第１のガンマデータと、前記所定のガンマ特性と異なるガンマ特性に基づいて前記表示素子を駆動するための第２のガンマデータを記憶し、
前記補正部は、前記第１の測定データと、前記第１のガンマデータを用いて取得した前記第２の測定データが一致するように、前記第２のガンマデータを書き換えることを特徴とする請求項１乃至６の何れか一項に記載の画像表示装置。
【請求項８】
前記パターン変更部は、前記測定パターンの種類が複数あることを特徴とする請求項１乃至７の何れか一項に記載の画像表示装置。
【発明の詳細な説明】
【技術分野】
【０００１】
本発明は、液晶表示素子を用いて画像を表示する液晶プロジェクタ等の画像表示装置に関する。
【背景技術】
【０００２】
液晶表示素子を用いた画像表示装置は長期間の使用に伴い、ガンマ特性に経時変化が生じることがある。例えば、液晶プロジェクタでは、液晶層への強い光照射や、外部からの水分侵入により、液晶表示素子のガンマ特性が変動することがある。ガンマ特性が経時変化すると、表示画像の色味であるモニターガンマ値が所定の標準値（例えばｓＲＧＢ規格γ＝２．２）から乖離し、画質が低下する。
【０００３】
又、３板式液晶プロジェクタの様な、複数の液晶表示素子で異なる色を変調して、カラー画像を表示する場合には、液晶表示素子間のガンマ変動量の差異により、無彩色が色づく様な画質低下も発生する。
【０００４】
特許文献１には、画像表示装置のガンマ特性の経時変化を、画像表示装置内の光検出手段で計測し、計測した結果からガンマ特性の経時変化量を算出し、補正を行う技術が開示されている。
【先行技術文献】
【特許文献】
【０００５】
【特許文献１】特開２０１３−２２８５７７号公報
【発明の概要】
【発明が解決しようとする課題】
【０００６】
しかしながら、上述の特許文献に開示された従来技術は、画像表示装置の光源の劣化により光源の光量が低下した場合、補正精度が低下することについて考慮されていない。
【０００７】
そこで、本発明は、画像表示装置の光源等の状態が変化した場合でも、精度よくガンマ特性の経時変化を補正することができる画像表示装置を提供することである。
【課題を解決するための手段】
【０００８】
上記目的を達成するために、本発明は、画像を表示する表示素子と、前記表示素子を駆動する際のガンマ特性に関する測定を行う測定部と、所定のガンマ特性に基づいて駆動した前記表示素子に、所定の測定パターンを表示させた際の前記測定部により取得された第１の測定データを記憶する記憶部と、前記測定パターンを変更するパターン変更部と前記第１の測定データと、前記パターン変更部によって前記所定の測定パターンとは異なる測定パターンを表示させた際の前記測定部により取得された第２の測定データに基づいて、ガンマ特性の補正を行う補正部と、を有することを特徴とする。
【発明の効果】
【０００９】
本発明によれば、画像表示装置の光源等の状態が変化した場合でも、精度よくガンマ特性の経時変化を補正することができる画像表示装置を提供することができる。
【図面の簡単な説明】
【００１０】
【図１】液晶プロジェクタの構成を示す図。
【図２】液晶プロジェクタの光学系の構成を示す図。
【図３】表示素子の特性に関する図。
【図４】ガンマ変換テーブルの一例を示す図。
【図５】ガンマ特性の経時変化の一例を示す図。
【図６】ガンマ変換テーブル補正のための前処理のフローチャート。
【図７】実ガンマ測定のフローチャート。
【図８】初期の実ガンマ測定に使用する各階調の測定パターンの一例を示す図。
【図９】実ガンマ特性とガンマ変換テーブルの補正量の関係を示した図。
【図１０】光量による所定の階調、バックグラウンド測定値の説明図。
【図１１】光量低下前後のガンマ特性の説明図。
【図１２】図１１の１００階調付近の拡大図。
【図１３】図８を最大値で正規化した図。
【図１４】図１３の１００階調付近の拡大図。
【図１５】ガンマ変換テーブル補正処理のフローチャート。
【図１６】経時後の実ガンマ測定に使用する各階調の測定パターンの一例を示す図。
【図１７】実施例２における初期の実ガンマ測定に使用する各階調の測定パターンの一例を示す図。
【図１８】実施例２における経時後の実ガンマ測定に使用する各階調の測定パターンの示す図。
【発明を実施するための形態】
【００１１】
以下に、本発明の好ましい実施の形態を、添付の図面に基づいて詳細に説明する。
【実施例１】
【００１２】
以下、図１から図１６を参照して、本発明の実施例１による液晶プロジェクタについて説明する。
【００１３】
図２は、液晶プロジェクタ１００の光学系２００の構成を示すブロック図である。
【００１４】
光源２０１から発せられた光は、照明光学系２０２によって偏光方向が揃った偏光光に変換され、かつその強度分布が均一化される。照明光学系２０２から射出した光は、ダイクロイックミラー２０３によりＧ光とＲＢ光とに分離される。ここで、Ｇ光とはＧｒｅｅｎ光のことであり、以下「Ｇ光」と略記する。同様に、Ｒｅｄ光を「Ｒ光」、Ｂｌｕｅ光を「Ｂ光」、Ｒｅｄ光とＢｌｕｅ光をまとめて「ＲＢ光」等と略記する。
【００１５】
ダイクロイックミラー２０３を透過したＧ光は、ＰＢＳ（偏光ビームスプリッタ）２０４にて反射され、Ｇ用液晶表示素子２０７Ｇに入射する。Ｇ用液晶表示素子２０７Ｇにて変調されたＧ光は、ＰＢＳ２０４を透過した後、ＰＢＳ２０６で反射され、投射光学系２０８に向かう。また、ダイクロイックミラー２０３で反射されたＲＢ光のうちＢ光は、不図示の波長選択性偏光板によってその偏光方向が９０度回転され、ＰＢＳ２０５を透過してＢ用液晶表示素子２０７Ｂに入射する。Ｂ用液晶表示素子２０７Ｂにて変調されたＢ光は、ＰＢＳ２０５で反射され、ＰＢＳ２０６を透過し、投射光学系２０８に向かう。
【００１６】
一方、ダイクロイックミラー２０３にて反射されたＲＢ光のうちＲ光は、ＰＢＳ２０５で反射されてＲ用液晶表示素子２０７Ｒに入射する。Ｒ用液晶表示素子２０７Ｒにて変調されたＲ光は、ＰＢＳ２０５、ＰＢＳ２０６を透過して投射光学系２０８に向かう。
【００１７】
投射画像を形成するＧ光、Ｂ光及びＲ光は、ＰＢＳ２０６にて合成され、投射光学系２０８によって、不図示のスクリーンなどに投射される。
【００１８】
ＰＢＳ２０６のうち投射光学系２０８に向かうＧ光、Ｒ光及びＢ光（以下、これらを表示光ともいう）のいずれもが透過しない面に、光センサ２０９が配置されている。光センサ２０９（測定部）は、ＰＢＳ２０６が、ＲＧＢの表示光に対して一定割合の漏れ光を生じさせる特性を利用し、この漏れ光の光量を測定する。漏れ光の光量を測定することで、投射画像の光強度（輝度）を間接的に測定することができる。
【００１９】
このように、液晶プロジェクタ１００は、光源２０１からの光を、画像信号に応じて液晶表示素子２０７により変調することで投射画像を形成する。
【００２０】
図１は、液晶プロジェクタ１００の構成を示すブロック図である。
【００２１】
外部の画像供給装置である不図示のビデオプレーヤなどから不図示のビデオケーブルなどを介して画像信号が、画像処理部１０１に入力される。画像処理部１０１に入力された画像信号は、ブライトネス補正、コントラスト補正、色変換処理等の各種画像処理が行われ、液晶表示素子２０７の駆動に適した画像信号に変換される。変換された画像信号は、ガンマ変換回路１０２に入力される。
【００２２】
光学系２００は、図２で説明した光学系であり、一部を省略して示している。液晶表示素子２０７は、ＲＧＢ液晶表示素子２０７Ｒ，２０７Ｇ，２０７Ｂをまとめて液晶表示素子２０７として示している。
【００２３】
液晶表示素子２０７は、画像信号の階調（入力階調）に比例した液晶駆動電圧が印加されると、図３に示すように非線形の電圧―透過（または反射）特性（ＶＴ特性）に従った光量の表示光を射出する。
【００２４】
ガンマ変換回路１０２は、図４に示すようなガンマ変換テーブル（ガンマデータ）を用いて画像信号に階調変換処理を行い、入力階調と表示光（出力階調）との関係を示すガンマ特性が適切なガンマ値（例えば、ｓＲＧＢ規格γ＝２．２）となるようにする。
【００２５】
記憶部１０６は、不揮発性メモリにより構成されており、複数のガンマ変換テーブル（ＬＵＴ）１０７、後述する光センサ２０９による初期測定輝度データ１０８（測定値メモリ）が記憶されている。
【００２６】
ガンマ変換回路１０２にてガンマ変換された画像信号は、液晶駆動部１０３へ入力される。液晶駆動部１０３は、画像信号の階調（入力階調）に応じた液晶駆動電圧を生成し、これを液晶表示素子２０７に印加して液晶表示素子２０７を駆動する。
【００２７】
光センサ２０９は、前述した漏れ光を光電変換し、該漏れ光の光量に応じた値を有する電気信号を出力する。光センサ２０９から出力されたアナログ信号としての電気信号は、ＡＤコンバータ１０４によりデジタル信号に変換されてＣＰＵ１０５に入力される。
【００２８】
ＣＰＵ１０５は、液晶プロジェクタ１００の各動作の制御を行い、後述する、光センサ２０９による輝度測定、ガンマ変換テーブルの計算、ガンマ補正テーブルへのテーブル設定を行う。また、ＣＰＵ１０５は、ガンマ変換テーブルの補正の際の測定パターンを変更するパターン変更部、ガンマ変換テーブルを補正する補正部を兼ねている。
【００２９】
ここで、液晶プロジェクタ１００は長期間の使用に伴い、液晶表示素子２０７のＶＴ特性に経時変化が生じることがある。例えば、液晶層への強い光照射や、外部からの水分侵入により、ＶＴ特性が変動する。ＶＴ特性が変動したとき、ガンマ変換テーブルを変更せずそのまま用いると、結果としてガンマ特性が経時変化し、適切なガンマ値（例えば、ｓＲＧＢ規格γ＝２．２）から乖離し、画質が低下する。
【００３０】
図５にガンマ特性の経時変化の例を示している。５０１は液晶プロジェクタの生産工程でのガンマ調整によってγ＝２．２に設定されたガンマ特性である。これに対して、５０２は、経時変化によってＶＴ特性が変動したが、ガンマ変換テーブルを変更していないため、中間調が明るくなったガンマ特性である。
【００３１】
そこで、本実施例では経時変化したガンマ特性を測定して、生産工程で調整されたガンマ特性からの変化分を加味したガンマ変換テーブルを算出し、ガンマ変換回路１０２に設定する。ここでは、液晶表示素子２０７（つまりは液晶プロジェクタ）で実際に得られる実ガンマ特性が、ユーザ使用開始前のガンマ特性（生産工程で調整されたガンマ特性）から、使用に伴う経時変化によって、より明るいガンマ特性に変化する場合について説明する。ただし、実ガンマ特性が、ユーザ使用開始前のガンマ特性から、より暗くなるガンマ特性に変化する場合でも、以下のガンマ変換テーブル補正処理を同様に適用することができる。
【００３２】
まず図６のフローチャートには、本実施例の液晶プロジェクタの生産工程で行われるガンマ変換テーブル補正のための前処理の手順を示している。この前処理も含めた補正処理全般は、パターン変更部、補正部としてのＣＰＵ１０５が、コンピュータプログラムに従って実行する。
【００３３】
ＳＴＥＰ６０１では、ＣＰＵ１０５は、ガンマ調整を行い、ガンマ特性が所定のガンマ特性（例えば、γ＝２．２）となるように、ガンマ変換回路１０２への設定値を決定する。例えば、液晶表示素子２０７からの光量を、不図示の外部にある輝度計などを用いて測定し、その測定結果に基づいて、所定のガンマ特性になるように、ガンマ変換回路１０２への設定値を決定する。
【００３４】
次にＳＴＥＰ６０２では、ＣＰＵ１０５は、ＳＴＥＰ６０１で決定したガンマ変換回路１０２への設定値を、初期のガンマ変換テーブルとして、記憶部１０６に書き込む。
【００３５】
次にＳＴＥＰ６０３では、ＣＰＵ１０５は、ＳＴＥＰ６０１で設定された初期のガンマ変換テーブルを用いて液晶表示素子を駆動し、その際の実ガンマ特性を光センサ２０９により測定を行う。
【００３６】
図７のフローチャートは、ＳＴＥＰ６０３の詳細な手順である。
【００３７】
ＳＴＥＰ７０１では、ＣＰＵ１０５は、実ガンマ特性を測定する液晶表示素子をＲＧＢの中から決定する。
【００３８】
次にＳＴＥＰ７０２では、ＣＰＵ１０５は、測定する液晶表示素子に、所定の階調の画像を表示させる。
【００３９】
次にＳＴＥＰ７０３では、ＣＰＵ１０５は、ＳＴＥＰ７０２で所定の階調の画像を表示させたとき、光センサ２０９で漏れ光の輝度を測定する。
【００４０】
次にＳＴＥＰ７０４では、ＣＰＵ１０５は、所定の階調分の測定を終了したか否かを判定する。所定の階調分の測定を終えていない場合、再度、ＳＴＥＰ７０２へ戻る。所定の階調分の測定を終えた場合、ＳＴＥＰ７０５に遷移する。
【００４１】
本実施例では、７段階の階調にて輝度測定を行い、階調と輝度の特性を取得し、実ガンマ特性を測定する。７段階の階調の輝度を光センサにて測定する際、液晶表示素子に表示する測定パターンを図８に示す。ここで表示する測定パターンの画素数をＳ０（８０２で示した領域）とし、液晶表示素子の有効画素数をＳａ（８０２を含む８０１で示した領域）とする。図９（ａ）の実線９０１は、測定された実ガンマ特性（階調−輝度特性）の例を示したものであり、ガンマ特性５０１にほぼ一致する。
【００４２】
次にＳＴＥＰ７０５では、ＣＰＵ１０５は、ＲＧＢの液晶表示素子の測定を終了したか否かを判定する。ＲＧＢそれぞれの液晶表示素子の測定を終えていない場合、再度、ＳＴＥＰ７０１へ戻る。ＲＧＢそれぞれの液晶表示素子の測定を終えた場合、終了する。
【００４３】
次にＳＴＥＰ６０４では、ＣＰＵ１０５は、所定の階調において、図８に示した測定パターンにおける光センサ２０９の輝度測定、及び、バックグラウンド測定（例えば０となる階調の測定データ）を、ＲＧＢの液晶表示素子毎に行う。図１０に示すように、光センサ２０９により、所定の階調で測定した測定値をＬ０（１００１）、光センサ２０９のバックグラウンドをＢＫ０（１００２）とする。
【００４４】
本実施例では図１０に示す所定の階調（１００１）において光センサ２０９による測定を行ったが、図１０に示す階調と異なる階調で測定してもよい。また液晶表示素子に表示する測定パターンは、図８に示す以外の測定パターンでもよい。またＳＴＥＰ７０３で測定した実ガンマ特性の結果を用いることもできる。
【００４５】
次にＳＴＥＰ６０５では、ＣＰＵ１０５は、測定された生産工程における実ガンマ特性の測定データ（初期の実ガンマ特性である第１の測定データ）及び、所定の階調での光センサ２０９の輝度値、バックグラウンド輝度、を記憶部１０６に記憶する。また、ＣＰＵ１０５は、ユーザによる使用開始後の液晶表示素子の駆動に使用するガンマテーブルを、初期のガンマ変換テーブルを設定する。そして、ガンマ変換テーブル補正のための前処理を終了する。
【００４６】
この後、液晶プロジェクタのユーザ使用に伴いガンマ特性に経時変化が生じた場合、ガンマ変換テーブルの補正処理を行う。補正処理を行う際、ユーザ使用に伴い光源等の状態が変化し、光量が低下する場合がある。光量が低下した状態で補正処理を行うと、補正精度が低下する。
【００４７】
図１１から図１４を用いて、光量が低下した際の補正精度について説明する。
【００４８】
図１１の１１０１は、生産工程で光センサ２０９によって測定した実ガンマ特性、１１０２は、光量が低下した際、生産工程で使用した測定パターンを使用して測定した場合の実ガンマ特性を示している。
【００４９】
図１２は、図１１の１００階調付近を拡大し、光量が低下していない１１０１、光量が低下した１１０２、それぞれの特定の階調にノイズが重畳された（１２０１、１２０２）と仮定した場合の図である。
【００５０】
図１３は、図１１の実ガンマ特性をそれぞれの輝度最大値で正規化した実ガンマ特性を示す図である。図１４は図１３の１００階調付近を拡大した図である。光量が低下すると、ダイナミックレンジが低下し、測定分解能が低下する。従って、特定の階調に同一のノイズが乗った場合、図１４の１２０１、１２０２に示すように、光量が低下したときにノイズの影響が大きくなる。補正を行う際、このようなノイズの影響により補正誤差が生じると、一部の階調付近での変動が大きくなり、色ずれ等の画像品位が低下してしまう。
【００５１】
そこで本実施例では、光センサで光量を検出し、光量に応じて表示する測定パターンを変更することで、光センサに入力する光量を制御し、精度よく経時変化の補正を行うことができるようにしている。
【００５２】
図１５のフローチャートには、本実施例の液晶プロジェクタのユーザ使用に伴いガンマ特性に経時変化が生じた場合の補正処理の手順を示している。
【００５３】
ＳＴＥＰ１５０１では、ＣＰＵ１０５は、前処理で測定値Ｌ０とバックグラウンドＢＫ０を測定した階調の測定パターンで、同様に測定値Ｌ１（図１０の１００３）、バックグラウンドをＢＫ１（図１０の１００４）として測定（第３の測定データ）を行う。
【００５４】
次にＳＴＥＰ１５０２では、ＣＰＵ１０５は、ＳＴＥＰ１５０１の測定結果と、前処理での測定結果に基づいて、以下の式により、実ガンマ特性の測定に使用する際の測定パターンの変更後の画素数Ｓ１を算出する。
Ｓ１＝（Ｌ０−ＢＫ０）／（Ｌ１−ＢＫ１）×Ｓ０・・・（１）
Ｌ０：初期の所定の階調の測定値
ＢＫ０：Ｌ０取得時のバックグラウンド測定値
Ｌ１：経時後の所定の階調の測定値
ＢＫ１：Ｌ１取得時のバックグラウンド測定値
Ｓ０：初期の測定データ取得時の画素数
ただし、Ｓ１≧ＳａならばＳ１＝Ｓａ
【００５５】
すなわち、初期の所定の階調の測定データと、経時後の所定の階調の測定データとの比率に応じて、経時後、測定パターンで使用する表示画素数を算出する。
【００５６】
次にＳＴＥＰ１５０３では、ＣＰＵ１０５は、実ガンマ特性の測定に使用する際の測定パターンの画素数が、ＳＴＥＰ１５０２で算出されたＳ１に基づいて、測定パターンを変更する。
【００５７】
図１６に、変更された測定パターンの例を示す。１６０２に示すように測定パターンの表示画素数（表示素子上の表示面積）は、算出された画素数Ｓ１を中心に所定の範囲内となるように変更する。これにより、初期状態で初期の測定パターンで所定の階調を表示したときの測定データと、経時変化後、測定パターンを変更し所定の階調を表示したときの測定データを、ほぼ一致させることができる。
【００５８】
従って、光量の低下を、測定パターンを変更することで補うことができ、測定分解能を初期状態とほぼ一致させることができ、精度よく経時変化の補正を行うことができる。
【００５９】
次にＳＴＥＰ１５０４では、ＣＰＵ１０５は、図７のフローチャートに従い、ＳＴＥＰ１５０３で変更された測定パターンを用い、前処理での実ガンマ特性の測定と同様に実ガンマ特性を測定する。（第２の測定データ）
【００６０】
次にＳＴＥＰ１５０５では、ＣＰＵ１０５は、ガンマ変換テーブル補正を行う液晶表示素子をＲＧＢの中から決定する。
【００６１】
次にＳＴＥＰ１５０６では、ＣＰＵ１０５は、補正を行う液晶表示素子に対して、記憶部１０６に記憶している初期の実ガンマ特性（第１の測定データ）と、経時後の実ガンマ特性（第２の測定データ）の差異から、ある階調における変化量を算出する。この変化量を用いて、ガンマ変換テーブルを補正する量を算出する。
【００６２】
図９（ａ）の８０階調における測定値を例として説明する。初期の実ガンマ特性２００１に対して、経時後の実ガンマ特性２００２が測定されたとする。経時による変化量は、２００３になる。
【００６３】
一方、図９（ｂ）に示すガンマ変換テーブルの補正量として、初期のガンマ変換テーブル９０４に対して、８０階調における経時による変化量２００３を補正するように補正量を算出する。すなわち、ガンマ変換テーブルの補正量として、８０階調の設定値２００７を設定値２００８となるように補正量２００６を算出することで、ガンマ特性の経時変化を補正することができる。
【００６４】
ＳＴＥＰ１５０７は、所定の階調分の測定を終了したか否かを判定する。所定の階調分の測定を終えていない場合、再度、ＳＴＥＰ１５０６へ戻る。所定の階調分の測定を終えた場合、ＳＴＥＰ２２０９に遷移する。
【００６５】
ＳＴＥＰ１５０６、ＳＴＥＰ１５０７のフローにより、各測定点における補正量を算出したあと、それらの補正量から補間演算することで、ガンマ変換テーブルを補正し、新たなガンマ変換テーブル９０５を得る。これにより、初期のガンマ特性と経時変化後のガンマ特性との差が、所定の閾値以下とすることができ、初期のガンマ特性と経時後のガンマ特性をほぼ一致させることができる。
【００６６】
次にＳＴＥＰ１５０８では、ＣＰＵ１０５は、ＲＧＢの液晶表示素子の補正を終了したか否かを判定する。ＲＧＢそれぞれの液晶表示素子の補正を終えていない場合、再度、ＳＴＥＰ１５０５へ戻る。ＲＧＢそれぞれの液晶表示素子の補正を終えた場合、終了する。
【００６７】
以上説明したように、経時後の実ガンマ測定時に光量が低下し、光センサの受光量が低下しても、実ガンマ測定の測定パターンを変更することで、光センサの受光量を補正し、精度よくガンマ変換テーブルの補正を行うことができる。
【実施例２】
【００６８】
以下、図１７、図１８を参照して、本発明の第２の実施例による液晶プロジェクタについて説明する。
【００６９】
本実施例の液晶プロジェクタ１００の構成は、実施例１と同様のため説明を省略する。
【００７０】
また、本実施例におけるフローチャートも第１の実施例１と同様である。実施例１との相違点は、実ガンマ特性を測定する際に測定パターンを２種類使用している点である。
【００７１】
図１７に、前処理における実ガンマ特性を測定する際に使用する測定パターン例を示す。本実施例では、中間階調から低階調側の測定パターン１７０１と、中間階調から高階調側の測定パターン１７０２を変えている。
【００７２】
低階調側は、表示する明るさが暗いため、光センサ２０９で測定できる漏れ光量も少なくなる。そこで、低階調側の測定パターンの画素数を、高階調側の測定パターンの画素数より多くすることで、光センサ２０９で測定できる漏れ光量を多くすることができ、低階調側のダイナミックレンジをより大きくすることができる。
【００７３】
しかし、低階調側と同じ測定パターンの画素数の場合、特に高階調側において光センサ２０９で測定できる漏れ光量が飽和することがあるため、高階調側の測定パターンの画素数は、低階調側の測定パターンの画素数より少なくする。
【００７４】
また、所定の階調における光センサ２０９の輝度測定は、２つの測定パターンそれぞれについて、特定の階調を設定し測定しておく。
【００７５】
経時変化後の実ガンマ測定においては、２つの測定パターンそれぞれにおいて、実施例１と同様に測定パターンの変更を行う。図１８に、変更された測定パターン例を示す。
【００７６】
変更された低階調側の測定パターン１８０１、高階調側の測定パターン１８０２をそれぞれ用い、実施例１と同様にガンマ変換テーブルの補正を行う。
【００７７】
以上説明したように、実ガンマ測定の測定パターンを２種類用いることで、低階調側のダイナミックレンジをより拡大することができる。さらに、経時後の実ガンマ測定時に光量が低下し、光センサの受光量が低下しても、２種類の実ガンマ測定の測定パターンをそれぞれ変更することで、光センサの受光量を補正し、精度よくガンマ変換テーブルの補正を行うことができる。
【００７８】
以上、本発明の好ましい実施形態について説明したが、本発明はこれらの実施形態に限定されず、その要旨の範囲内で種々の変形及び変更が可能である。
【００７９】
例えば、測定パターンは、矩形測定パターン以外にも、市松模様で表示したり、縦線のパターン、横線のパターンなどを用いてもよい。
【００８０】
また、実施例２では２つの測定パターンを用いたが、２つ以上の複数の測定パターンを用いてもよい。
【産業上の利用可能性】
【００８１】
本発明は画像表示装置のガンマ特性の変動に有効である。
【符号の説明】
【００８２】
１００  液晶プロジェクタ
２０７  液晶表示素子
２０９  光センサ
１０５  ＣＰＵ
１０６  記憶部
【図１】
2017134361.tif 000003
【図２】
2017134361.tif 000004
【図３】
2017134361.tif 000005
【図４】
2017134361.tif 000006
【図５】
2017134361.tif 000007
【図６】
2017134361.tif 000008
【図７】
2017134361.tif 000009
【図８】
2017134361.tif 000010
【図９】
2017134361.tif 000011
【図１０】
2017134361.tif 000012
【図１１】
2017134361.tif 000013
【図１２】
2017134361.tif 000014
【図１３】
2017134361.tif 000015
【図１４】
2017134361.tif 000016
【図１５】
2017134361.tif 000017
【図１６】
2017134361.tif 000018
【図１７】
2017134361.tif 000019
【図１８】
2017134361.tif 000020